(57)【要約】【課題】従来のセパレーツ型とワンピース型の双方のメリットを併せ持った新規なセパレーツ型伸縮性運動着を提供することを目的とする。すなわち、着脱しやすく、腹部が露出し難くい全く新規なセパレーツ型伸縮性運動着を提供する。【解決手段】本発明のセパレーツ型伸縮性運動着の上衣は、表地と；当該表地の内側において、少なくとも着用者の腰部周辺に配置され、上縁部のみが固定された帯状のインナー部とを有する構造としている。また、インナー部の裾部が下衣の中に収納可能な構造としている。そして、着用時に、表地の裾部が下衣の上に被さるように構成される。【選択図】  図５
2004308089.tif 000002
【特許請求の範囲】
【請求項１】
上衣と下衣とを有するセパレーツ型伸縮性運動着において、
前記上衣は、表地と；当該表地の内側において、少なくとも着用者の腰部周辺に配置され、上縁部のみが固定された帯状のインナー部とを有し、
前記インナー部の裾部が前記下衣の中に収納可能な構造を採ることを特徴とするセパレーツ型伸縮性運動着。
【請求項２】
前記表地とインナー部とは同一の素材によって成形されることを特徴とする請求項１に記載のセパレーツ型伸縮性運動着。
【請求項３】
前記インナー部は、前記表地よりも収縮力の強い素材で成形されていることを特徴とする請求項１に記載のセパレーツ型伸縮性運動着。
【請求項４】
前記インナー部は、保温性素材で成形されていることを特徴とする請求項１，２又は３に記載のセパレーツ型伸縮性運動着。
【請求項５】
前記インナー部は、少なくとも前記裾部付近に滑り止め加工が施されていることを特徴とする請求項１，２，３又は４に記載のセパレーツ型伸縮性運動着。
【請求項６】
前記表地の首周りから下方に延びて開閉自在にするファスナーが設けられていることを特徴とする請求項１，２，３，４又は５に記載のセパレーツ型伸縮性運動着。
【請求項７】
前記ファスナーは、前記表地の前記首周りから裾部に渡って全開するように設けられ、
前記インナー部には、前記表地のファスナーに沿って前部が開放するように切り込みが形成されていることを特徴とする請求項６に記載のセパレーツ型伸縮性運動着。
【請求項８】
前記インナー部の切り込みの対面する縁部同士を係止するように、当該縁部に係止部材が設けられていることを特徴とする請求項７に記載のセパレーツ型伸縮性運動着。
【請求項９】
前記係止部材は、ホックであることを特徴とする請求項８に記載のセパレーツ型伸縮性運動着。
【請求項１０】
前記上衣は、前記表地と縁部において縫い合わせられる裏地を更に備え、
前記インナー部の上縁部が前記裏地に縫い合わされていることを特徴とする請求項１に記載のセパレーツ型伸縮性運動着。
【請求項１１】
請求項１に記載のセパレーツ型伸縮性運動着に使用される上衣。
【請求項１２】
請求項１に記載のセパレーツ型伸縮性運動着に使用される下衣。
【請求項１３】
少なくとも上縁部付近に滑り止め加工が施されていることを特徴とする請求項１２に記載の下衣。
【請求項１４】
上衣と下衣とを有するセパレーツ型水着において、
前記上衣は、表地と；前記表地と縁部において縫い合わせられる裏地と；前記表地の内側において、少なくとも着用者の腰部周辺に配置される帯状のインナー部とを有し、
前記インナー部の上縁部のみが前記裏地に縫い合わされ、当該インナー部の裾部（下縁部）が前記下衣の中に収納され、前記表地の裾が前記下衣の上縁部に被される構造であることを特徴とするセパレーツ型水着。
【発明の詳細な説明】
【０００１】
【発明の属する技術分野】
本発明は、上衣と下衣とを有する新規な構造のセパレーツ型伸縮性運動着に関する。
【０００２】
【従来の技術】
女性用の伸縮性運動具、例えば、水着としては、ワンピース型とセパレーツ型に大別される。セパレーツ型の水着は、着用者の上半身を覆う水着上衣と、下半身を覆う水着下衣とで構成される。ワンピース型の水着のメリットとしては、着用時の一体感、フィット感に優れること、腹部の保温性が高いこと等が挙げられる。一方、セパレーツ型の水着のメリットとしては、デザイン的な自由度が高いことに加え、着脱が容易であること等がある。
【０００３】
【発明が解決しようとする課題】
従来のセパレーツ型の水着においては、水中で水着上衣の裾部がめくれ上がって腹部が露出し、肌寒く感じる場合があった。特に水中運動や歩行などでは、上下運動が多いため、頻繁にめくれてしまい、不快に感じる場合があった。このような問題は、水着に限らず、エアロビクス等の運動に使用されるレオタード等にも当てはまる。
【０００４】
そこで、本発明においては、従来のセパレーツ型とワンピース型の双方のメリットを併せ持った新規なセパレーツ型伸縮性運動着を提供することを目的とする。すなわち、着脱しやすく、腹部が露出し難くい、全く新規なセパレーツ型伸縮性運動着を提供する。
【０００５】
【課題を解決するための手段】
本発明は上記目的を達成するために、上衣は、表地と；当該表地の内側において、少なくとも着用者の腰部周辺に配置され、上縁部のみが固定された帯状のインナー部とを有する構造としている。また、インナー部の裾部が下衣の中に収納可能な構造としている。そして、着用時に、表地の裾部が下衣の上に被さるように構成される。
【０００６】
上記のような構成とすることにより、着用時に上衣の裾部がめくれ上がって腹部が露出し難くなり、冷え、不快を解消することが可能なる。仮に、表地の裾が捲れ上がっても、インナー部によって肌の露出を防止できる。
【０００７】
また、インナー部をネオプレーン等の保温性素材で成形することにより、腹部の保温性が向上する。上衣のインナー部又は下衣の少なくとも一方に、滑り止め加工を施した場合には、激しい運動を行った場合にも、上衣のインナー部が下衣から抜け出ることがなくなる。更に、インナー部を表地よりも収縮力の強い素材で成形することにより、着用者の腹部が締め付けられ、体型補正効果が得られる。
【０００８】
好ましくは、表地の首周りから下方に延びて開閉自在にするファスナーを設ける。例えば、表地の首周りから裾部に渡って全開するようにファスナーを設けるとともに、インナー部には、表地のファスナーに沿って前部が開放するように切り込みを形成する。このような構成により、着脱容易性が更に向上する。
【０００９】
更に、インナー部を表地に直接縫いつけるのではなく、裏地に縫いつけることにより、表面に縫い目が出ることが無く、見た目にも優れたものとなる。
【００１０】
【発明の実施の形態】
以下、本発明の実施の形態につき、伸縮性運動着の一態様としてセパレーツ型の水着を例に採り、添付図面を参照して説明する。なお、本発明に係る伸縮性運動着は、海やプールでの水泳、水中運動、水中歩行等の際に着用する水着の他に、エアロビクス等のフィットネス用のレオタードにも適用可能である。基本的には、年齢、性別を問わず使用可能であるが、特に女性に適している。例えば、妊婦の場合には、健常者に比べて、水着（運動着）の着脱が困難であると同時に、腹部を冷やすことは好ましくないため、本発明にかかる運動着の効果が顕著となる。
【００１１】
図１は、本発明の第１の実施例に係るセパレーツ水着１０の構成を示す斜視図である。図２は、第１の実施例に係る水着１０の上衣１２、図３は下衣の構成を示す平面図である。本実施例に係るセパレーツ水着１０は、伸縮性に優れた生地から成形される水着上衣１２と水着下衣１４とから構成される。水着上衣１２は、裾部が着用者の下腹部付近まで延びる表地１２ａと、当該表地１２ａの裾部よりも更に長く下方に延びるインナー部１２ｂとから構成される。着用時には、インナー部１２ｂの裾部は、水着下衣１４の中に納められる。水着上衣１２、水着下衣１４を構成する生地としては、例えば、伸縮性を有するナイロンもしくはポリエステルとポリウレタンの交編ツーウェイトリコット等を使用することができる。
【００１２】
表地１２ａの裾部とインナー部１２ｂとは固定されず、表地１２ａの裾部から長さＬ１だけ上方で当該表地１２ａとインナー部１２ｂとが縫い合わされる。縫い合わせ位置１８において、インナー部１２ｂの上縁部のみが表地１２ａと縫い合わされて固定される。着用時には、表地１２ａの裾部が水着下衣１４の上に被さるようになる。Ｌ１は、１０ｃｍ〜２０ｃｍ程度、好ましくは、１０ｃｍ〜１５ｃｍ、例えば、１２ｃｍとする。
【００１３】
インナー部１２ｂは表地１２ａの裾から長さＬ２だけ下方にはみ出した構造となる。Ｌ２としては、５ｃｍ〜１５ｃｍ程度、例えば、１０ｃｍとすることが好ましい。特に、エアロビクス等のように激しい運動用途に使用する場合には、Ｌ２の長さを長めにすることが好ましい。特に背中側を長くすることが好ましい。
【００１４】
表地１２ａには、首周りから下方に延びて開閉自在にするファスナー１６が設けられており、ファスナー１６は表地１２ａの裾部に渡って全開するように設けられている。一方、インナー部１２ｂには、ファスナー１６に沿って前部が開放するように切り込み２０が形成されている。このような構造とすることにより、水着１０の前面が完全に開放可能となり、着脱が非常に容易となる。
【００１５】
インナー部１２ｂの切り込み２０の対向する縁部同士を係止するように、当該縁部にはホック、メカニカルファスナー等の係止部材２２が設けられている。ホック２２の位置は、例えば、表地１２ａとインナー部１２ｂの縫い目１８から各々１ｃｍ、８ｃｍとする。なお、ホック２２の数、位置は適宜変更可能である。
【００１６】
水着上衣１２のインナー部１２ｂは、ネオプレーン等の保温性素材で成形することができる。この場合には、腹部の保温性が向上し、年配者や妊婦等に適する。
【００１７】
また、インナー部１２ｂは表地１２ａよりも収縮力の強い素材で成形することもできる。これにより、着用者の腹部が締め付けられ、体型補正効果が得られる。
【００１８】
更に、インナー部１２ｂの裾部領域２３に対して、必要に応じて滑り止め加工を施し、あるいは滑りにくい素材とすることができる。この場合には、着用者が激しい運動を行った場合にも水着上衣のインナー部１２ｂが下衣１４から抜け出ることがなくなる。
【００１９】
図３に示すように、水着下衣１４の上縁部領域２４には、必要に応じて滑り止め加工を施することができる。これによる効果は、上述したように、上衣インナー部１２ｂに滑り止め加工をした場合と同様である。
【００２０】
水着下衣１４の股上の長さ（高さ）Ｌ３は、上衣１２のインナー部１２ｂを内部に収納するのに十分な長さを必要とする。水着１０自体のサイズにもよるが、２０ｃｍ〜３５ｃｍ、例えば、２７ｃｍ〜３２ｃｍとすることができる。
【００２１】
図４は、本発明の第２の実施例に係るセパレーツ水着の上衣の構成を示す平面図である。本実施例に係る水着上衣１２は、図２に示す水着の構造をシンプルにしたものである。すなわち、表地１２ａのファスナー１６、インナー部１２ｂのホック２２を設けない構造となっている。なお、他の構成、構造については、図２に示す第１実施例と同様である。
【００２２】
図５は、本発明の第３の実施例に係るセパレーツ水着１０の構成を示す斜視図である。図６は、第３の実施例に係る水着１０の上衣１２の裏側裾部周辺の様子を示す平面図である。本実施例に係るセパレーツ水着１０は、上述した第１の実施例に係る水着（図１〜図３）と基本的な構造は同一であるが、インナー部１２ｂの取り付け方法が大きく異なる。なお、既に説明した実施例と同一又は対応する構成要素については、同一の参照符号を付し、重複した説明は省略する。
【００２３】
本実施例に係る水着１０においては、インナー部１２ｂの上縁部（２８）は、裏地２６にのみ縫いつけられている。裏地２６は、表地１２と縁部において縫い合わされている。裏地２６としては、伸縮性に優れたメッシュ素材を使用することができる。図６に示すように、インナー部１２ｂの上縁部は縫い合わせ領域２８においてのみ裏地２６に固定される。領域２８は、ホックの雄側２２ａと雌側２２ｂの付近には形成されず、ホックによるスムーズな係止動作を阻害しないように配慮されている。
【００２４】
また、本実施例の他の特徴としては、インナー部１２ｂの形状にある。インナー部１２ｂの裾（下縁部）は、正面腹部付近においては、表地１２ａの裾より上側にあってはみ出していないが、腰部から背中に向かって徐々にははみ出した状態になる。
【００２５】
その他の構造、改良については、上述した第１及び第２の実施例と同様であり、重複した説明は省略する。
【００２６】
以上、本発明の実施例について説明したが、本発明はこれらの実施例に何ら限定されるものではなく、特許請求の範囲に示された技術的思想の範疇において変更可能なものである。
【図面の簡単な説明】
【図１】図１は、本発明の第１の実施例に係るセパレーツ水着の構成を示す斜視図である。
【図２】図２は、第１の実施例に係る水着の上衣の構成を示す平面図である。
【図３】図３は、第１の実施例に係る水着の下衣の構成を示す平面図である。
【図４】図４は、本発明の第２の実施例に係るセパレーツ水着の上衣の構成を示す平面図である。
【図５】図５は、本発明の第３の実施例に係るセパレーツ水着の構成を示す斜視図である。
【図６】図６は、第３の実施例に係るセパレーツ水着の裏地の一部とインナー部との構成を示す平面図である。
【符号の説明】
１０    セパレーツ水着
１２    水着上衣
１２ａ    表地
１２ｂ    インナー部
１４    水着下衣
１６    ファスナー
１８    縫い目
２０    切り込み
２２    ホック
２６    裏地
２８    縫い合わせ部（インナー部＋裏地）
【図１】
2004308089.tif 000003
【図２】
2004308089.tif 000004
【図３】
2004308089.tif 000005
【図４】
2004308089.tif 000006
【図５】
2004308089.tif 000007
【図６】
2004308089.tif 000008